(57)【要約】【課題】  本体の小型化に伴う操作上の制約を低減し、操作性の良好な携帯型音楽再生装置を提供する。【解決手段】  携帯型音楽再生装置１の正面に設けられる操作部６がポケット等の収容部の外部に露出するとともに、本体２と操作部６とが物体を保持可能なクリップ状の止め具を形成するので、収容部の縁に容易かつ確実に固定されるとともに、操作スイッチ群４の良好な操作性が得られる。また、携帯型音楽再生装置１の本体２が収容部内に収容されるので、外部からの荷重に対してハードディスクドライブ１１および他の回路部品を保護することができる。【選択図】        図１
2007066470.tif 000002
【特許請求の範囲】
【請求項１】
音楽データを記憶する記憶部と、前記音楽データの再生に必要な電力を供給する充電型の電源部とを有した本体と、
前記本体との間に挿入される物体を挟んで保持するように構成された操作部とを有することを特徴とする携帯型音楽再生装置。
【請求項２】
前記操作部は、前記音楽データの再生操作に応じた表示を行う表示部を有する請求項１に記載の携帯型音楽再生装置。
【請求項３】
前記操作部は、前記記憶部に記憶された前記音楽データの再生操作を行うためのスイッチを有する請求項１又は２に記載の携帯型音楽再生装置。
【請求項４】
前記操作部は、前記本体と協働して前記物体を保持したときに前記物体の前面に露出するように設けられる請求項１に記載の携帯型音楽再生装置。
【請求項５】
前記本体は、前記記憶部に対して前記音楽データを入出力する信号線を介して前記電源部への充電を行う請求項１に記載の携帯型音楽再生装置。
【発明の詳細な説明】
【技術分野】
【０００１】
本発明は、記録部に記録された音楽等の音声データを再生し出力する携帯型音楽再生装置に関し、特に、本体の小型化に伴う操作上の制約を低減し、操作性の良好な携帯型音楽再生装置に関する。
【背景技術】
【０００２】
従来の携帯型ミュージックプレーヤー（携帯型音楽再生装置に相当）として、ハードディスクドライブやフラッシュメモリ等の記憶部に記憶された音楽データを再生し、ヘッドホン等の出力部から音声出力するものが知られている。このような携帯型ミュージックプレーヤーは、本体に取り付けられたストラップ（吊り紐）でユーザーの首からぶら下げる、あるいは、ユーザーの洋服のポケットや鞄等に収容可能なサイズ、重量で形成されており、可搬性に優れることから様々な製品が提案され、商品化されている。
【０００３】
また、音楽データを記憶する記憶部として、着脱可能な記憶媒体を用いた携帯型音楽再生装置が提案されている（例えば、特許文献１参照。）。
【０００４】
特許文献１に記載された携帯型音楽再生装置は、本体に設けられるメモリスロットに音楽データを記憶した小型のメモリカードを挿入し、本体に設けられる再生ボタンを操作することによってカード内のメモリ素子に記憶された音楽情報を読み込んで再生する。音楽情報の再生に基づく音声信号は、ステレオ式イヤホンから出力される。
【０００５】
特許文献１に記載された携帯型音楽再生装置によれば、小型のメモリカードを挿抜可能に構成することにより、本体の小型化を阻害せずに使い勝手が高められる。近年、メモリカード等の記憶媒体の大容量化、低価格化が進んでおり、多数の音楽情報を記憶した記憶媒体を用いて、連続再生が可能な小型の携帯型音楽再生装置を具現化できる。
【特許文献１】特開２００１−１８８５６４（図１、〔００１４〕〜〔００１８〕）
【発明の開示】
【発明が解決しようとする課題】
【０００６】
しかし、特許文献１の携帯型音楽再生装置によると、ユーザーの洋服のポケットや鞄の中に収容された状態で操作しようとすると操作系が不可視であるため、ユーザーが手の感覚だけで正確な操作を行うことが難しいという問題がある。特に、本体の小型化が進むと再生ボタン等の操作系の配置に関する制約が大になることから、手の感覚に頼って正確な操作を行うのは難しくなる。
【０００７】
従って、本発明の目的は、本体の小型化に伴う操作上の制約を低減し、操作性の良好な携帯型音楽再生装置を提供することにある。
【課題を解決するための手段】
【０００８】
本発明は、上記の目的を達成するため、音楽データを記憶する記憶部と、前記音楽データの再生に必要な電力を供給する充電型の電源部とを有した本体と、
前記本体との間に挿入される物体を挟んで保持するように構成された操作部とを有する携帯型音楽再生装置を提供する。
【０００９】
本発明の携帯型音楽再生装置において、操作部は、音楽データの再生操作に応じた表示を行う表示部を有するものであっても良い。
【００１０】
また、操作部は、記憶部に記憶された音楽データの再生操作を行うためのスイッチを有することが好ましい。
【００１１】
また、操作部は、本体と協働して物体を保持したときに物体の前面に露出するように設けられることが好ましい。
【００１２】
また、本体は、記憶部に対して音楽データを入出力する信号線を介して電源部への充電を行うものであっても良い。
【発明の効果】
【００１３】
本発明によれば、本体の小型化に伴う操作上の制約を低減し、操作性の向上を図ることができる。
【発明を実施するための最良の形態】
【００１４】
（第１の実施の形態）
図１は、本発明の第１の実施の形態に係る携帯型音楽再生装置を示し、（ａ）斜視図、（ｂ）は上面図、（ｃ）は右側面図である。
【００１５】
（携帯型音楽再生装置１の構成）
この携帯型音楽再生装置１は、図１（ａ）に示すように記憶部等の回路部品を収容する本体２と、本体２の正面側に設けられて液晶表示部３および操作スイッチ群４とを備え、本体２と協働して隙間５に介在する被服等の物体を弾性的に保持する操作部６とを有して構成されている。
【００１６】
（各部の構成）
本体２は、機械的強度を有する樹脂材料によって形成されており、右側面に電源のオン・オフ操作を行うための電源スイッチ２０と、携帯型音楽再生装置１の設定をリセットして出荷状態に戻すためのリセットスイッチ２１とを有し、図示しない左側面に操作スイッチ群４の入力を有効または無効にするホールドスイッチを有している。
【００１７】
本体２の上部には、図１（ｂ）に示すように音声出力端子としてのヘッドホン端子２２と、データ入出力端子としてのＵＳＢ(Universal Serial Bus)端子２３が設けられている。ＵＳＢ端子２３は、図示しない外部機器との接続時に本体２の内部に収容されているバッテリーへ５Ｖの電圧を印加することにより充電を行う給電用端子を兼ねている。
【００１８】
また、本体２は、隙間５に位置する部分に凸部２Ａを有し、操作部６の隙間に位置する部分に設けられる凸部６Ａと協働して隙間５に設けられる被服等の物体を弾性的に挟持するように構成されている。ここでいう被服等とは、シャツ類を構成する布地、鞄等を構成する生地のほか、凸部２Ａおよび６Ａによって弾性的に挟持しうる他の材料からなる物体をいう。
【００１９】
液晶表示部３は、カラー液晶表示パネルを有しており、後述する音楽データに含まれるアーティスト名、アルバム名、楽曲のタイトル、演奏時間、歌詞等の情報を静的または動的に表示する。なお、カラー液晶表示パネルでなく単色（例えば、白黒）表示の液晶パネルで形成されていても良い。
【００２０】
操作スイッチ群４は、音量増大スイッチ４０と、音量低減スイッチ４１と、次曲選択スイッチ４２と、前曲選択スイッチ４３と、各種メニューを読み出すためのメニュースイッチ４４と、各種メニューについての決定操作、再生開始、再生停止を行うための決定スイッチ４５とを有し、次曲選択スイッチ４２は、長押し（例えば、１秒以上）することによって演奏中の楽曲の早送りを行う。また、前曲選択スイッチ４３は、長押しすることによって演奏中の楽曲の早戻しを行う。
【００２１】
操作部６は、本体２と同様に機械的強度を有する樹脂材料で形成されて本体２に対して弾性的に支持されており、操作部６の下側から隙間５に挿入される被服等を凸部６Ａと本体２の凸部２Ａとで挟持する。
【００２２】
図２は、本体および操作部に収容される回路部品を示す側面図である。
【００２３】
この回路部品１０は、携帯型音楽再生装置の動作に必要なプログラムおよび音楽データを格納する記憶部としてのハードディスクドライブ１１と、断面矩形状の板状に形成されたリチウムイオン充電式電池からなる電源部１２と、図示しない信号線としてＵＳＢケーブルを接続するための端子部１３と、携帯型音楽再生装置の動作を制御する制御部を含む半導体集積装置１４と、第１の面に半導体集積装置１４および端子部１３を実装する回路基板１５と、ステンレス板を折り曲げ加工することにより形成されて回路基板１５に固定される支持板１６とを有する。半導体集積装置１４は、回路基板１５に設けられる図示しない配線部を介して液晶表示部３、操作スイッチ群４、ハードディスクドライブ１１、電源部１２、および端子部１３と接続されている。
【００２４】
支持板１６は、外力に対して弾性変形可能に構成されており、前述した本体２と操作部６との間の隙間に物体が挿入されたとき、これを挟持するための保持力を発生する。
【００２５】
図３は、本発明の第１の実施の形態に係る携帯型音楽再生装置の回路ブロック図を示す。なお、各部の符号は前述した各図面で説明した構成と同一のものについては共通の引用数字を付している。
【００２６】
この回路ブロック図において、制御部３０は、液晶表示部３と、操作スイッチ群４と、ハードディスクドライブ１１と、電源部１２と、電源スイッチ２０と、リセットスイッチ２１と、ホールドスイッチ２４と、インターフェース（Ｉ／Ｆ）部２５と、音声出力部２６とに接続された構成を有する。
【００２７】
Ｉ／Ｆ部２５は、ＵＳＢ端子２３にＵＳＢケーブルが接続されると、その接続を検出して制御部３０にケーブル接続信号を出力する。制御部３０は、Ｉ／Ｆ部２５からケーブル接続信号を入力すると、ハードディスクドライブ１１へのアクセス待機となり、さらにＵＳＢケーブルを介して給電される電力に基づいて電源部１２への給電を行う。
【００２８】
音声出力部２６は、音楽データの再生動作に基づいてハードディスクドライブ１１から転送される音楽データを音声信号に変換し、ヘッドホン端子２２に出力する。ここで、ヘッドホンがヘッドホン端子２２に接続されていると、ヘッドホンから音声信号が出力される。また、音声出力部２６は、操作スイッチ群４の音量増大スイッチ４０または音量低減スイッチ４１の操作量に応じた音量でヘッドホン端子２２に音声信号を出力する。
【００２９】
（携帯型音楽再生装置１の使用形態１）
図４は、本発明の第１の実施の形態に係る携帯型音楽再生装置の第１の使用形態を示す概略図である。
【００３０】
第１の使用形態は、ユーザー７の洋服８に設けられる胸ポケット８Ａに携帯型音楽再生装置１を収容した状態を示す。この場合、操作部６は胸ポケット８Ａから露出し、本体２はポケット８Ａの内部に収容されている。本体２と操作部６は、胸ポケット８Ａの布地を弾性的に挟持することにより脱落することなく保持される。
【００３１】
例えば、携帯型音楽再生装置１の操作を開始したいときは、胸ポケット８Ａから露出している操作部６に設けられる決定スイッチを操作することにより再生が行われる。再生された音楽データに基づく音声出力はヘッドホンコード９Ａを介してヘッドホン９から出力される。
【００３２】
また、携帯型音楽再生装置１の操作を停止したいときは、胸ポケット８Ａから露出している操作部６に設けられる決定スイッチを操作することにより再生が停止する。
【００３３】
（携帯型音楽再生装置１の使用形態２）
図５は、本発明の第２の実施の形態に係る携帯型音楽再生装置の第２の使用形態を示す概略図である。
【００３４】
第２の使用形態は、持ち手５０Ｂを有するショルダーバック５０のサイドポケット５０Ａに携帯型音楽再生装置１を収容した状態を示す。この場合、操作部６はサイドポケット５０Ａから露出し、本体２はサイドポケット５０Ａの内部に収容されている。本体２と操作部６は、サイドポケット５０Ａの布地を弾性的に挟持することにより脱落することなく保持される。
【００３５】
（第１の実施の形態の効果）
上記した第１の実施の形態によると、以下の効果が得られる。
【００３６】
（１）携帯型音楽再生装置１の正面に設けられる操作部６がポケット等の収容部の外部に露出するとともに、本体２と操作部６とが物体を保持可能なクリップ状の止め具を形成するので、収容部の縁に容易かつ確実に固定されるとともに、操作スイッチ群４の良好な操作性が得られる。
【００３７】
（２）携帯型音楽再生装置１の本体２が収容部内に収容されるので、外部からの荷重に対してハードディスクドライブ１１および他の回路部品を保護することができる。
【００３８】
なお、上記した携帯型音楽再生装置１において、本体２および操作部６は、樹脂材料に代えてアルミニウム等の金属材料によって形成することも可能である。
【００３９】
音楽データおよびプログラムの記憶部であるハードディスクドライブ１１は、フラッシュメモリ等の半導体メモリであっても良い。この半導体メモリは本体搭載型とせずに着脱可能なメモリカード等の記憶媒体であっても良い。また、本体２にハードディスクドライブ１１を内蔵するとともにメモリカードスロットを設けてメモリカードを挿抜できる構成としても良い。
【００４０】
電源部１２は、リチウムイオン充電式電池に代えて小型乾電池等の一次電池であっても良い。
【００４１】
（第２の実施の形態）
図６は、本発明の第２の実施の形態に係る携帯型音楽再生装置を示す斜視図である。
【００４２】
（携帯型音楽再生装置１の構成）
この携帯型音楽再生装置１は、第１の実施の形態で説明した携帯型音楽再生装置１から液晶表示部３を除いたものであり、第１の実施の形態で説明したように収容部の外部に露出する操作部６に不意に外力が加わるような場合でも、部品破損を生じることのない構成としている。この場合、音楽再生以外のメニュー操作時に操作内容を確認できるように、表示部を設けたリモコン搭載型のヘッドホンを用いることが好ましい。
【００４３】
（第２の実施の形態の効果）
上記した第２の実施の形態によると、第１の実施の形態の好ましい効果に加えて、操作部６の小型化を図れるとともに、操作性を損なうことなく携帯型音楽再生装置１の斬新な外観を提供でき、商品性を高めることができる。
【００４４】
なお、本発明は、上記した各実施の形態に限定されず、本発明の技術思想を逸脱あるいは変更しない範囲内で種々な変形が可能である。
【図面の簡単な説明】
【００４５】
【図１】本発明の第１の実施の形態に係る携帯型音楽再生装置を示し、（ａ）斜視図、（ｂ）は上面図、（ｃ）は右側面図である。
【図２】本体および操作部に収容される回路部品を示す側面図である。
【図３】本発明の第１の実施の形態に係る携帯型音楽再生装置の回路ブロック図を示す。
【図４】本発明の第１の実施の形態に係る携帯型音楽再生装置の第１の使用形態を示す概略図である。
【図５】本発明の第２の実施の形態に係る携帯型音楽再生装置の第２の使用形態を示す概略図である。
【図６】本発明の第２の実施の形態に係る携帯型音楽再生装置を示す斜視図である。
【符号の説明】
【００４６】
１…携帯型音楽再生装置、２…本体、２Ａ…凸部、３…液晶表示部、４…操作スイッチ群、５…隙間、６…操作部、６Ａ…凸部、７…ユーザー、８…洋服、８Ａ…胸ポケット、９…ヘッドホン、９Ａ…ヘッドホンコード、１０…回路部品、１１…ハードディスクドライブ、１２…電源部、１３…端子部、１４…半導体集積装置、１５…回路基板、１６…支持板２０…電源スイッチ、２１…リセットスイッチ、２２…ヘッドホン端子、２３…ＵＳＢ端子、２４…ホールドスイッチ、２５…Ｉ／Ｆ部、２６…音声出力部、３０…制御部、４０…音量増大スイッチ、４１…音量低減スイッチ、４２…次曲選択スイッチ、４３…前曲選択スイッチ、４４…メニュースイッチ、４５…決定スイッチ、５０…ショルダーバック、５０Ａ…サイドポケット
【図１】
2007066470.tif 000003
【図２】
2007066470.tif 000004
【図３】
2007066470.tif 000005
【図４】
2007066470.tif 000006
【図５】
2007066470.tif 000007
【図６】
2007066470.tif 000008